(57)【特許請求の範囲】
【請求項１】
色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調装置であって、
前記第１原色信号の画素の信号レベルと、当該画素の前又は後の信号レベルとに基づいて、前記第１原色信号の各々の前記画素における前記輪郭を強調するための輪郭成分を生成する輪郭成分生成手段と、
この輪郭成分生成手段によって生成された輪郭成分を、前記第１原色信号の信号レベルに加算する輪郭成分加算手段と、
この輪郭成分加算手段によって輪郭成分が加算された前記第１原色信号の信号レベルを所定の範囲内に補正することで第１の輪郭強調信号を生成するクリップ手段と、
このクリップ手段によって生成された第１の輪郭強調信号の信号レベルと、前記第１原色信号の信号レベルとの差分を算出する減算手段と、
この減算手段によって算出された差分の映像信号帯域を狭めることで、前記第２原色信号及び前記第３原色信号の映像信号帯域に対応した差分変換信号を生成する差分変換手段と、
この差分変換手段によって生成された差分変換信号から、前記第２原色信号の補正成分及び前記第３原色信号の補正成分をそれぞれ抜き出すサブサンプル手段と、を備え、
このサブサンプル手段によって抜き出された前記第２原色信号の補正成分及び前記第３原色信号の補正成分を、前記輪郭成分加算手段によって前記第２原色信号及び前記第３原色信号にそれぞれ加算し、
この輪郭成分加算手段によって補正成分が加算された前記第２原色信号及び前記第３原色信号のそれぞれの信号レベルを、前記クリップ手段によって所定の範囲内に補正することで、第２の輪郭強調信号及び第３の輪郭強調信号を生成することを特徴とする輪郭強調装置。
【請求項２】
色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調装置であって、
前記第２原色信号及び前記第３原色信号のそれぞれの画素の信号レベルと、当該画素の前の信号レベルとに基づいて、内挿信号を生成し、この内挿信号と前記第２原色信号及び前記第３原色信号のそれぞれを多重化することで、前記第１原色信号の映像信号帯域に対応した前記第２原色信号及び前記第３原色信号を生成するアップサンプル手段と、
このアップサンプル手段によって生成された前記第１原色信号の映像信号帯域に対応した前記第２原色信号及び前記第３原色信号と、前記第１原色信号とに基づいて、輝度信号を生成する輝度信号生成手段と、
この輝度信号生成手段によって生成された輝度信号に基づいて、前記第１原色信号の各々の前記画素における前記輪郭を強調するための輪郭成分を生成する輪郭成分生成手段と、
この輪郭成分生成手段によって生成された輪郭成分を、前記第１原色信号の信号レベルに加算する輪郭成分加算手段と、
この輪郭成分加算手段によって輪郭成分が加算された前記第１原色信号の信号レベルを所定の範囲内に補正することで第１の輪郭強調信号を生成するクリップ手段と、
このクリップ手段によって生成された第１の輪郭強調信号の信号レベルと、前記第１原色信号の信号レベルとの差分を算出する減算手段と、
この減算手段によって算出された差分の映像信号帯域を狭めることで、前記第２原色信号及び前記第３原色信号の映像信号帯域に対応した差分変換信号を生成する差分変換手段と、
この差分変換手段によって生成された差分変換信号から、前記第２原色信号の補正成分及び前記第３原色信号の補正成分をそれぞれ抜き出すサブサンプル手段と、を備え、
このサブサンプル手段によって抜き出された前記第２原色信号の補正成分及び前記第３原色信号の補正成分を、前記輪郭成分加算手段によって前記第２原色信号及び前記第３原色信号にそれぞれ加算し、
この輪郭成分加算手段によって補正成分が加算された前記第２原色信号及び前記第３原色信号のそれぞれの信号レベルを、前記クリップ手段によって所定の範囲内に補正することで、第２の輪郭強調信号及び第３の輪郭強調信号を生成することを特徴とする輪郭強調装置。
【請求項３】
前記第１、第２及び第３原色信号をガンマ補正するガンマ補正手段と、
前記クリップ手段によって生成された前記第１の輪郭強調信号と、前記第２の輪郭強調信号と、第３の輪郭強調信号と、を逆ガンマ補正する逆ガンマ補正手段とを備えることを特徴とする請求項１又は請求項２に記載の輪郭強調装置。
【請求項４】
色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調方法であって、
前記第１原色信号の画素の信号レベルと、当該画素の前又は後の信号レベルとに基づいて、前記第１原色信号の各々の前記画素における前記輪郭を強調するための輪郭成分を生成する輪郭成分生成ステップと、
この輪郭成分生成ステップによって生成された輪郭成分を、前記第１原色信号の信号レベルに加算する輪郭成分加算ステップと、
この輪郭成分加算ステップによって輪郭成分が加算された前記第１原色信号の信号レベルを所定の範囲内に補正することで第１の輪郭強調信号を生成するクリップステップと、
このクリップステップによって生成された第１の輪郭強調信号の信号レベルと、前記第１原色信号の信号レベルとの差分を算出する減算ステップと、
この減算ステップによって算出された差分の映像信号帯域を狭めることで、前記第２原色信号及び前記第３原色信号の映像信号帯域に対応した差分変換信号を生成する差分変換ステップと、
この差分変換ステップによって生成された差分変換信号から、前記第２原色信号の補正成分及び前記第３原色信号の補正成分をそれぞれ抜き出すサブサンプルステップと、
このサブサンプルステップによって抜き出された前記第２原色信号の補正成分及び前記第３原色信号の補正成分を、前記第２原色信号及び前記第３原色信号にそれぞれ加算する第２の輪郭成分加算ステップと、
この輪郭成分加算手段によって補正成分が加算された前記第２原色信号及び前記第３原色信号のそれぞれの信号レベルを、所定の範囲内に補正することで、第２の輪郭強調信号及び第３の輪郭強調信号を生成する第２のクリップステップと、
を含むことを特徴とする輪郭強調方法。
【発明の詳細な説明】
【技術分野】
【０００１】
本発明は、映像の輪郭を強調した映像信号を生成する技術に係り、特に三原色のうち、ある色の画素の数が他の色の画素の数と異なる画素構造を有する表示装置に表示される映像の輪郭を強調した映像信号を生成する技術に関する。
【背景技術】
【０００２】
従来、三原色である赤、緑及び青の各々の画素（サブピクセル）の数が等しい表示装置に表示される動画像又は静止画像（以下、映像という）の輪郭を強調する方法として、三原色の映像信号である、Ｒ（赤）信号、Ｇ（緑）信号及びＢ（青）信号（三原色信号）あるいは、輝度信号（Ｙ信号）及び色差信号（Ｃ１信号、Ｃ２信号）の３つの信号のいずれか又は各々から、輪郭を強調するための輪郭成分を生成し、この輪郭成分を３つの信号に加算することで、この映像の輪郭を強調した映像信号を生成する方法が開示されている（非特許文献１参照）。
【０００３】
ここで、図１２から図１４を参照して、映像の輪郭を強調した映像信号を生成する従来の輪郭強調回路の例について説明する。図１２は、Ｇ信号に基づいて輪郭成分を生成し、輪郭を強調した映像信号を生成する輪郭強調回路の構成を示すブロック図である。また、図１３は、Ｒ信号、Ｇ信号及びＢ信号の各々について輪郭成分を生成し、輪郭を強調した映像信号を生成する輪郭強調回路の構成を示すブロック図である。更に、図１４は、Ｙ信号、Ｃ１信号及びＣ２信号を入力し、Ｙ信号について輪郭成分を生成して輪郭を強調した映像信号を生成する輪郭強調回路の構成を示すブロック図である。
【０００４】
図１２に示すように、輪郭強調回路１１０は、Ｇ信号に基づいて輪郭成分を生成し、Ｒ信号、Ｇ信号及びＢ信号によって示される映像の輪郭を強調した輪郭強調信号（輪郭強調Ｒ信号、輪郭強調Ｇ信号及び輪郭強調Ｂ信号）を生成するものである。輪郭強調回路１１０は、Ｇ信号輪郭強調手段１１０ａ、Ｂ信号輪郭強調手段１１０ｂ及びＲ信号輪郭強調手段１１０ｃを備える。なお、Ｇ信号は、Ｂ信号やＲ信号と比べて最も輝度信号に近く、高周波成分を有しているため、輪郭強調回路１１０は、Ｇ信号に基づいて輪郭成分を生成している。
【０００５】
Ｇ信号輪郭強調手段１１０ａは、輪郭成分生成手段１１１によって、入力されたＧ信号から輪郭成分を生成し、加算手段１１２ａによってこの輪郭成分とＧ信号とを加算して、クリップ手段１１３ａによって、この輪郭成分が加算されたＧ信号の信号レベルを所定の範囲内に補正して、輪郭強調Ｇ信号を生成するものである。なお、輪郭成分生成手段１１１は、例えば、一般的なデジタルフィルタによって実現することができる。また、輪郭成分は、信号全体の信号レベルの和がゼロとなる信号である。
【０００６】
Ｂ信号輪郭強調手段１１０ｂは、加算手段１１２ｂによって、Ｇ信号輪郭強調手段１１０ａから入力された輪郭成分とＢ信号とを加算し、クリップ手段１１３ｂによって、この輪郭成分が加算されたＢ信号の信号レベルを所定の範囲内に補正して、輪郭強調Ｂ信号を生成するものである。更に、Ｒ信号輪郭強調手段１１０ｃは、加算手段１１２ｃによって、Ｇ信号輪郭強調手段１１０ａから入力された輪郭成分とＲ信号とを加算し、クリップ手段１１３ｃによって、この輪郭成分が加算されたＲ信号の信号レベルを所定の範囲内に補正して、輪郭強調Ｒ信号を生成するものである。
【０００７】
このように構成することで、輪郭強調回路１１０は、Ｇ信号、Ｂ信号及びＲ信号を入力し、Ｇ信号に基づいて生成された輪郭成分をＧ信号、Ｂ信号及びＲ信号の各々に加算して、輪郭を強調した輪郭強調信号を生成することができる。
【０００８】
また、図１３に示すように、輪郭強調回路１２０は、Ｒ信号、Ｇ信号及びＢ信号の各々について輪郭成分を生成し、これらの信号によって示される映像の輪郭を強調した輪郭強調信号（輪郭強調Ｒ信号、輪郭強調Ｇ信号及び輪郭強調Ｂ信号）を生成するものである。輪郭強調回路１２０は、Ｇ信号輪郭強調手段１２０ａ、Ｂ信号輪郭強調手段１２０ｂ及びＲ信号輪郭強調手段１２０ｃを備える。
【０００９】
なお、Ｇ信号輪郭強調手段１２０ａは、Ｇ信号輪郭強調手段１１０ａ（図１２）と同一であり、また、Ｂ信号輪郭強調手段１２０ｂ及びＲ信号輪郭強調手段１２０ｃは、Ｇ信号輪郭強調手段１２０ａと比べて、入力される信号をＧ信号からＢ信号又はＲ信号としただけで、構成は同一である。このように構成することで、輪郭強調回路１２０は、Ｇ信号、Ｂ信号及びＲ信号を入力し、これらの信号に基づいて生成された輪郭成分を各々の信号に加算して、輪郭を強調した輪郭強調信号を生成することができる。
【００１０】
更に、図１４に示すように、輪郭強調回路１３０は、Ｙ信号、Ｃ１信号及びＣ２信号を入力して、Ｙ信号について輪郭成分を生成し、Ｙ信号に加算することで、これらの信号によって示される映像の輪郭を強調した信号（輪郭強調Ｙ信号）を生成するものである。ここで、この輪郭強調回路１３０は、Ｙ信号のみに輪郭成分を加算し、Ｃ１信号とＣ２信号はそのまま出力している。輪郭強調回路１３０は、Ｙ信号輪郭強調手段１３０ａを備える。
【００１１】
なお、Ｙ信号輪郭強調手段１３０ａは、Ｇ信号輪郭強調手段１１０ａ（図１２）と比べて、入力される信号をＧ信号からＹ信号としただけで、構成は同一である。このように構成することで、輪郭強調回路１３０は、Ｙ信号、Ｃ１信号及びＣ２信号を入力し、輪郭成分をＹ信号に加算して、輪郭を強調した輪郭強調Ｙ信号を生成することができる。そして、この輪郭強調回路１３０から出力される輪郭強調Ｙ信号、Ｃ１信号及びＣ２信号を、行列演算によって三原色信号に変換することで、輪郭を強調した輪郭強調信号（輪郭強調Ｒ信号、輪郭強調Ｇ信号及び輪郭強調Ｂ信号）を生成することができる。
【００１２】
また、映像を表示する表示装置には、ＲＧＢの各々の画素の数がすべて同じものと異なるものとがある。ＲとＧとＢの画素の数が異なるものには、例えば、図３（ａ）に示すような、ベイヤー配列と呼ばれる方式のものがある。図３は、ベイヤー配列の画素構造を有する表示装置において、グレーの背景に縦の白線を表示する例を説明する説明図、図３（ａ）は、ベイヤー配列の画素構造を模式的に示す模式図、図３（ｂ）は、（ａ）の画素構造の表示装置において、グレーの背景に縦の白線を表示した場合における、各画素の信号レベルを模式的に示す模式図である。なお、図３では、説明の都合上各画素の上に列番号を付している。
【００１３】
図３（ａ）に示すように、ベイヤー配列の画素構造の表示装置においては、各々の画素が、Ｒ、Ｇ１（Ｇ）、Ｂ、Ｇ２（Ｇ）のいずれかの色を表示する。そのため、この表示装置では、Ｇの画素数がＲやＢの画素の２倍となるとともに、Ｇの解像度は、ＲやＢと比較して、縦横ともに２倍になっている。
【００１４】
ここで、図３（ｂ）を参照して、ベイヤー配列の表示装置に映像を表示する場合において、当該映像を示す三原色信号の信号レベルについて説明する。なお、ここでは、図３（ａ）に示す点線で囲った範囲Ｓ内において、グレーの背景に、列Ｐ５とＰ６の位置に白い縦線を表示する場合の各画素の信号レベルについて説明する。また、図３（ａ）において、互いに斜めの位置にあるＧ１とＧ２の画素の信号レベルを、図３（ｂ）において、同じ横軸上に並べて表示した。
【００１５】
ベイヤー配列の画素構造を有する表示装置では、ＲとＢの画素は１列おきに存在し、Ｇ（Ｇ１又はＧ２）の画素はすべての列に存在している。そのため、図３（ｂ）に示すように、Ｇ信号はＲ信号やＢ信号と比べて、映像信号帯域が広くなっている。そして、白線を表示している列Ｐ５とＰ６のＧ信号の信号レベルは、他の列と比べて高い値となっている。また、Ｂの画素は列Ｐ６にはないため、Ｂ信号では、列Ｐ６の画素に対応する信号レベルを列Ｐ５と列Ｐ７の画素に割り振っている。同様に、Ｒの画素は列Ｐ５にはないため、Ｒ信号では、列Ｐ５の画素に対応する信号レベルを列Ｐ４と列Ｐ６の画素に割り振っている。そして、白線以外の部分（列Ｐ１〜Ｐ３と列Ｐ８〜Ｐ１０）において、２列単位での信号レベルの和を見ると、ＲとＧとＢとですべて同じ０．２の信号レベルになっている。
【００１６】
次に、図１５を参照（適宜図３及び図１３参照）して、輪郭強調回路１２０が、ベイヤー配列の画素構造を有する表示装置に出力する三原色信号から輪郭強調信号を生成する例について、具体例を用いて説明する。図１５は、輪郭強調回路１２０が、図３（ｂ）に示す信号レベルの三原色信号から輪郭強調信号を生成する方法を説明するための説明図、図１５（ａ）は、輪郭強調回路１２０によって生成された、図３（ｂ）に示す信号レベルの各々の原色信号の輪郭成分の例を模式的に示した模式図、図１５（ｂ）は、図１５（ａ）に示す輪郭成分に基づいて、輪郭強調回路１２０によって生成された輪郭強調信号の例を模式的に示した模式図である。なお、ここでは、輪郭強調回路１２０の輪郭成分生成手段１１１ａ、１１１ｂ、１１１ｃが、図３（ｂ）に示す各々の原色信号について、輪郭成分を生成する画素に対応する信号レベルと、この画素の信号レベルに対して１画素の周期分だけ前と後の信号レベルとの変化量から輪郭成分を生成し、輪郭成分を生成する画素の、１画素の周期分だけ前の信号レベルと、輪郭成分を生成する画素の信号レベルと、この画素の信号レベルに対して１画素の周期分だけ後の信号レベルとに対する重み係数を（−０．５、１、−０．５）として輪郭成分を生成する場合について説明する。
【００１７】
例えば、輪郭強調回路１２０が、列Ｐ５の画素に対応するＧ（Ｇ１）信号の輪郭成分を生成する場合について説明する。図３（ｂ）に示すように、列Ｐ４とＰ５とＰ６のＧ画素の信号レベルは、それぞれ「０．１」、「０．３６７」、「０．３６７」であるため、輪郭成分生成手段１１１ａは、列Ｐ５の画素に対応するＧ信号の輪郭成分を、「０．１３３」［０．１×（−０．５）＋０．３６７×１＋０．３６７×（−０．５）］と算出する。そして、図１５（ａ）に示すように、Ｇ信号の輪郭成分には、白い線を表示した列Ｐ５とＰ６とに信号レベルが高い部分が生成され、かつ、その両脇に１画素の幅の信号レベルが低い部分が生成される。そのため、Ｇ信号は、列Ｐ４〜Ｐ７に輪郭が生成される。同様に、Ｂ信号は、列Ｐ３からＰ９に、Ｒ信号は、列Ｐ２からＰ８に生成される。なお、Ｂ信号及びＲ信号は、白線を表示する画素を、列Ｐ５とＰ６以外の画素にも割り振ったため、輪郭も広い範囲に生成されている。
【００１８】
そして、輪郭強調回路１２０は、加算手段１１２ａ、１１２ｂ、１１２ｃによって、輪郭成分の信号レベルを各々の原色信号の信号レベルに加算し、クリップ手段１１３ａ、１１３ｂ、１１３ｃによって、輪郭成分の加算された信号が、所定の信号レベルの範囲を超えている場合には、この範囲の上限値あるいは下限値にクリップして、輪郭強調信号を生成する。なお、ここでは、上限値を１．０、下限値を０とする。ここで、例えば、図１５（ａ）に示す輪郭成分を、Ｇ信号（図３（ｂ）参照）の信号レベルに加算すると、列Ｐ４とＰ７の輪郭成分の信号レベルは「−０．１３３」であるため、この輪郭成分が加算された輪郭強調Ｇ信号の列Ｐ４とＰ７の信号レベルは「−０．０３３」となる。そのため、輪郭強調回路１２０のクリップ手段１１３ａは、図１５（ｂ）に示すように、列Ｐ４とＰ７の輪郭強調Ｇ信号の信号レベルを下限値０にクリップする。
【００１９】
なお、ここでは、輪郭強調回路１２０が、輪郭成分を生成する画素に対応する信号レベルと、１画素の周期分だけ前と後の信号レベルとの変化量（水平方向の画素の信号レベルの変化量）から輪郭成分を生成する例について説明したが、Ｒ、Ｇ１（Ｇ）、Ｂ、Ｇ２（Ｇ）の縦横２つずつの合計４つの画素を１つの単位とし、表示装置におけるこの単位の水平方向の並びを１ラインとした場合において、輪郭成分を生成する画素に対応する原色信号の信号レベルと、表示装置においてこの画素の１ライン上と下（２画素上と下）とに位置する同色の画素に対応する信号レベルとの変化量（垂直方向の画素の信号レベルの変化量）と、前記した水平方向の画素の信号レベルの変化量との両方から輪郭成分を生成する方法が一般的に行われている。
【非特許文献１】八木伸行、「Ｃ言語で学ぶ実践ディジタル映像処理」、オーム社、１９９５年５月、ｐ．１３９
【発明の開示】
【発明が解決しようとする課題】
【００２０】
輪郭成分は信号全体の信号レベルの和がゼロとなる信号であるので、この信号を原色信号に加算しても、信号全体の信号レベルの和は変化しないものであるところ、信号レベルの上限値あるいは下限値を超えたために信号レベルがクリップされた場合には、信号レベルの和は変化する。そして、特定の色の信号の信号レベルのみがクリップされて、その信号の信号レベルの和が変化した場合には、輪郭を強調しない場合と比べて、映像の色に変化が生じてしまう。例えば、Ｇ信号のみ信号レベルの一部が下限値にクリップされた場合には、輪郭を強調する前のＧ信号の信号レベルの和より、クリップされた後の輪郭強調Ｇ信号の信号レベルの和の方が大きな値となる。そのため、この輪郭強調信号によって示される映像は、輪郭を強調する前より緑がかったものとなる。この色の変化は、無彩色の映像では特に目立つものとなる
【００２１】
ここで、Ｒ、Ｇ及びＢの各々の画素の数が等しい表示装置に表示される無彩色の映像を示す映像信号では、輪郭成分の信号レベルは、Ｒ信号と、Ｇ信号と、Ｂ信号とで同じ値となるため、特定の色のみ信号の信号レベルがクリップされることはない。一方、ＲＧＢの画素の数が異なる表示装置に表示される無彩色の映像を示す映像信号では、Ｒ信号、Ｇ信号及びＢ信号の映像信号帯域が異なるため、輪郭成分の信号レベルも異なる。例えば、Ｇの画素の数がＲとＢより多い表示装置に表示される映像信号では、Ｇ信号の映像信号帯域が、Ｒ信号やＢ信号より広くなるため、Ｇ信号の輪郭成分の信号レベルが大きくなる。そのため、画素の数が多い色の原色信号がクリップされやすくなり、輪郭を強調する前の画像に対する色の変化が生じやすくなる。
【００２２】
本発明は、前記従来技術の問題を解決するために成されたもので、ＲとＧとＢの画素の数が異なる表示装置に表示される映像の色を変化させることなく、当該映像の輪郭を強調した映像信号を生成することができる輪郭強調装置及び輪郭強調方法を提供することを目的とする。
【課題を解決するための手段】
【００２３】
前記課題を解決するため、請求項１に記載の輪郭強調装置は、色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調装置であって、輪郭成分生成手段と、輪郭成分加算手段と、クリップ手段と、減算手段と、差分変換手段と、サブサンプル手段と、を備える構成とした。 
【００２４】
かかる構成によれば、輪郭強調装置は、輪郭成分生成手段によって、第１原色信号の画素の信号レベルと、この画素の前又は後の信号レベルとに基づいて、第１原色信号の各々の画素における輪郭を強調するための輪郭成分を生成する。また、輪郭成分加算手段によって、この輪郭成分を、第１原色信号の信号レベルに加算する。そして、輪郭強調装置は、クリップ手段によって、この輪郭成分加算手段で輪郭成分が加算された第１原色信号の信号レベルを所定の範囲内に補正することで、第１の輪郭強調信号を生成する。また、輪郭強調装置は、減算手段によって、この第１の輪郭強調信号の信号レベルと、第１原色信号の信号レベルとの差分を算出する。ここで、この差分は、輪郭成分生成手段によって生成された輪郭成分に、クリップ手段によって信号レベルの所定範囲内に補正したことによって生じる信号レベルの変化を反映させたものとなる。そして、輪郭強調装置は、差分変換手段によって、この差分の映像信号帯域を狭めることで、第２原色信号及び第３原色信号の映像信号帯域に対応した差分変換信号を生成する。また、輪郭強調装置は、サブサンプル手段によって、この差分変換手段によって生成された差分変換信号から、第２原色信号の補正成分及び第３原色信号の補正成分をそれぞれ抜き出す。そして、輪郭強調装置は、輪郭成分加算手段によって、このサブサンプル手段によって抜き出された第２原色信号の補正成分及び第３原色信号の補正成分を、第２原色信号及び第３原色信号にそれぞれ加算する。また、輪郭強調装置は、クリップ手段によって、この輪郭成分加算手段によって補正成分が加算された第２原色信号及び第３原色信号のそれぞれの信号レベルを、所定の範囲内に補正することで、第２の輪郭強調信号及び第３の輪郭強調信号を生成する。つまり、輪郭強調装置は、第２原色信号及び第３原色信号の各々に、輪郭成分生成手段によって生成された輪郭成分と、クリップ手段によって信号レベルの所定範囲内に補正したことによって生じる第１原色信号の信号レベルの変化量に対応する信号レベルとを加算して、第２の輪郭強調信号と第３の輪郭強調信号とを生成する。 
【００２５】
これによって、輪郭強調装置は、他の色より画素の数が多い色の原色信号である第１原色信号に基づいて輪郭成分を生成し、この輪郭成分に基づいて、第１の輪郭強調信号を生成することができる。更に、輪郭強調装置は、この第１原色信号の信号レベルと、第１の輪郭強調信号の信号レベルとの差分に基づいて、第２及び第３原色信号の信号レベルを補正し、第２と第３の輪郭強調信号を生成することができる。
【００２６】
なお、原色信号は、表示装置に表示する際の各画素にかかる電圧の電圧レベルを表す信号であってもよいし、各画素の明るさを表す信号であってもよい。また、輪郭は、原色信号の、ある画素に対応する信号レベルと、この周辺の画素に対応する信号レベルとが変化する部分であるため、第１原色信号のある画素に対応する信号レベルと、その前後の第１原色信号の信号レベルとを比較することで、輪郭強調装置は、輪郭成分を生成することができる。
【００２７】
また、第１原色信号と第１の輪郭強調信号との差分に基づいた第２原色信号と第３原色信号との補正は、この差分を第２原色信号と第３原色信号との各々の映像信号帯域に対応させることで行うことができる。つまり、第１原色信号を表示する画素の数と、第２原色信号もしくは第３原色信号の画素の数が異なるため、第１原色信号は他の原色信号より映像信号帯域が広いが、第１原色信号と第１の輪郭強調信号との差分を、低域通過フィルタやガウシアンフィルタ等の拡散フィルタによって映像信号帯域を狭くすることで、この差分を第２原色信号と第３原色信号との各々の映像信号帯域に対応させることができる。
【００２８】
更に、所定の範囲とは、予め設定された、信号レベルの上限値及び下限値によって定められる範囲であり、クリップ手段は、入力された信号の信号レベルがこの上限値を上回っている時には信号レベルを上限値、下限値を下回っている時には下限値とすることで、第１原色信号の信号レベルを所定の範囲内に補正することができる。
【００２９】
また、請求項２に記載の輪郭強調装置は、色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調装置であって、輪郭成分生成手段と、輪郭成分加算手段と、クリップ手段と、減算手段と、差分変換手段と、サブサンプル手段と、を備える構成とした。
【００３０】
かかる構成によれば、輪郭強調装置は、アップサンプル手段によって、第２原色信号及び第３原色信号のそれぞれの画素の信号レベルと、当該画素の前の信号レベルとに基づいて、内挿信号を生成し、この内挿信号と第２原色信号及び第３原色信号のそれぞれを多重化することで、第１原色信号の映像信号帯域に対応した第２原色信号及び第３原色信号を生成する。また、輪郭強調装置は、輝度信号生成手段によって、このアップサンプル手段によって生成された第１原色信号の映像信号帯域に対応した第２原色信号及び第３原色信号と、第１原色信号とに基づいて、輝度信号を生成する。そして、輪郭強調装置は、輪郭成分生成手段によって、この輝度信号生成手段によって生成された輝度信号に基づいて、第１原色信号の各々の画素における輪郭を強調するための輪郭成分を生成する。また、輪郭成分加算手段によって、この輪郭成分を、第１原色信号の信号レベルに加算する。また、クリップ手段によって、この輪郭成分加算手段で輪郭成分が加算された第１原色信号の信号レベルを所定の範囲内に補正することで第１の輪郭強調信号を生成する。また、減算手段によって、この第１の輪郭強調信号の信号レベルと、第１原色信号の信号レベルとの差分を算出する。そして、輪郭強調装置は、差分変換手段によって、この減算手段によって算出された差分の映像信号帯域を狭めることで、前記第２原色信号及び前記第３原色信号の映像信号帯域に対応した差分変換信号を生成する。また、輪郭強調装置は、サブサンプル手段によって、この差分変換手段によって生成された差分変換信号から、第２原色信号の補正成分及び第３原色信号の補正成分をそれぞれ抜き出す。そして、輪郭強調装置は、輪郭成分加算手段によって、このサブサンプル手段によって抜き出された第２原色信号の補正成分及び第３原色信号の補正成分を、第２原色信号及び第３原色信号にそれぞれ加算する。また、輪郭強調装置は、クリップ手段によって、この輪郭成分加算手段によって補正成分が加算された第２原色信号及び第３原色信号のそれぞれの信号レベルを、所定の範囲内に補正することで、第２の輪郭強調信号及び第３の輪郭強調信号を生成する。
【００３１】
これによって、輪郭強調装置は、映像信号の輝度信号に基づいて輪郭成分を生成し、映像信号によって示される映像の輪郭を強調した第１、第２及び第３の輪郭強調信号生成することができる。
【００３２】
更に、請求項３に記載の輪郭強調装置は、請求項１又は請求項２に記載の輪郭強調装置において、前記第１、第２及び第３原色信号をガンマ補正するガンマ補正手段と、前記クリップ手段によって生成された前記第１の輪郭強調信号と、前記第２の輪郭強調信号と、前記第３の輪郭強調信号と、を逆ガンマ補正する逆ガンマ補正手段とを備える構成とした。
【００３３】
これによって、輪郭強調装置は、第１、第２及び第３原色信号を表示装置のガンマ特性に基づいてガンマ補正し、表示装置に表示した際における各々の色の画素の明るさに比例する信号に変換する。そして、輪郭強調装置は、この変換された信号から第１、第２及び第３の輪郭強調信号を生成し、これらの輪郭強調信号を逆ガンマ補正して、映像の輪郭が強調された映像信号を生成することができる。
【００３４】
また、請求項４に記載の輪郭強調方法は、色の三原色を示す第１、第２及び第３原色信号のそれぞれを表示する画素の中で、前記第１原色信号を表示する画素の数が他の原色信号を表示する画素の数よりも多い画素構造を有する表示装置に出力される映像信号を補正することで、当該映像信号で示される映像の輪郭を強調する輪郭強調方法であって、輪郭成分生成ステップと、輪郭成分加算ステップと、クリップステップと、減算ステップと、差分変換ステップと、第２の輪郭成分加算ステップと、第２のクリップステップと、を含むことを特徴とする。
【００３５】
この方法によれば、輪郭成分生成ステップによって、第１原色信号の画素の信号レベルと、この画素の前又は後の信号レベルとに基づいて、第１原色信号の各々の画素における輪郭を強調するための輪郭成分を生成する。続いて、輪郭成分加算ステップによって、この輪郭成分を、第１原色信号の信号レベルに加算する。そして、クリップステップによって、この輪郭成分加算ステップにおいて輪郭成分が加算された第１原色信号の信号レベルを所定の範囲内に補正することで第１の輪郭強調信号を生成し、減算ステップにおいて、この第１の輪郭強調信号の信号レベルと、第１原色信号の信号レベルとの差分を算出する。続いて、差分変換ステップによって、この減算ステップによって算出された差分の映像信号帯域を狭めることで、第２原色信号及び第３原色信号の映像信号帯域に対応した差分変換信号を生成する。続いて、サブサンプルステップによって、この差分変換ステップによって生成された差分変換信号から、第２原色信号の補正成分及び第３原色信号の補正成分をそれぞれ抜き出す。続いて、第２の輪郭成分加算ステップによって、このサブサンプルステップによって抜き出された第２原色信号の補正成分及び第３原色信号の補正成分を、第２原色信号及び第３原色信号にそれぞれ加算する。更に、第２のクリップステップによって、この輪郭成分加算手段によって補正成分が加算された第２原色信号及び第３原色信号のそれぞれの信号レベルを、所定の範囲内に補正することで、第２の輪郭強調信号及び第３の輪郭強調信号を生成する。
【００３６】
これによって、他の色より画素の数が多い色の原色信号である第１原色信号に基づいて輪郭成分を生成し、この輪郭成分に基づいて、第１の輪郭強調信号を生成することができる。更に、この第１原色信号の信号レベルと、第１の輪郭強調信号の信号レベルとの差分に基づいて、第２及び第３原色信号の信号レベルを補正し、第２と第３の輪郭強調信号を生成することができる。
【発明の効果】
【００３７】
本発明に係る輪郭強調装置及び輪郭強調方法では、以下のような優れた効果を奏する。
【００３８】
請求項１又は請求項４に記載の発明によれば、第１原色信号と第１の輪郭強調信号とで信号レベルの和が変化する場合においても、第１原色信号の信号レベルの和の変化量に相当する信号レベルを、第２及び第３原色信号に、輪郭成分とともに加算することができる。そのため、輪郭を強調することで第１原色信号のみの信号レベルの和が変化するということがなくなり、輪郭の強調による映像の色の変化（偽色）を防ぐことができる。
【００３９】
請求項２に記載の発明によれば、輝度信号に基づいて輪郭成分を生成し、輪郭を強調した第１、第２及び第３の輪郭強調信号を生成することができる。そして、第１原色信号と第１の輪郭強調信号とで信号レベルの和が変化する場合においても、第１原色信号の信号レベルの和の変化量に相当する信号レベルを、第２及び第３原色信号に、輪郭成分とともに加算するため、第１原色信号のみの信号レベルの和が変化するということがなくなり、輪郭の強調による、映像の偽色を防ぐことができる。
【００４０】
請求項３に記載の発明によれば、第１、第２及び第３原色信号を、表示装置に表示した際における各々の色の画素の明るさに比例する信号に変換して、輪郭を強調した第１、第２及び第３の輪郭強調信号を生成するため、表示装置に表示される画素の明るさに基づいて映像の輪郭の強調を行うことができる。そのため、輪郭の強調による、映像の偽色を防ぐことができる。
【発明を実施するための最良の形態】
【００４１】
以下、本発明の実施の形態について図面を参照して説明する。
［輪郭強調回路の構成（第一の実施の形態）］
まず、図１を参照して、本発明における第一の実施の形態である輪郭強調回路１の構成について説明する。図１は、本発明における第一の実施の形態である輪郭強調回路の構成を示したブロック図である。なお、ここでは、図３（ａ）に示すような、ベイヤー配列の画素構造をもつ表示装置（図示せず）に出力される三原色信号で示される映像の輪郭を強調する輪郭強調回路１について説明する。
【００４２】
輪郭強調回路（輪郭強調装置）１は、三原色信号（Ｇ信号、Ｂ信号及びＲ信号）を入力し、この三原色信号で示される映像の輪郭を強調する輪郭強調Ｇ信号（第１の輪郭強調信号）、輪郭強調Ｂ信号及び輪郭強調Ｒ信号（第２の輪郭強調信号及び第３の輪郭強調信号）を生成するものである。ここでは、輪郭強調回路１は、輪郭成分生成手段１１と、加算手段１２と、クリップ手段１３と、減算手段１４と、差分変換手段１５と、サブサンプル手段１６とを備えている。
【００４３】
輪郭成分生成手段１１は、入力されたＧ信号から、Ｇ信号の輪郭を強調するための輪郭成分を生成するものである。ここで生成された輪郭成分は、加算手段１２に出力される。なお、輪郭は信号レベルが変化する部分であるので、輪郭成分生成手段１１は、輪郭成分を生成する画素に対応するＧ信号の信号レベルと、この画素の近傍の画素に対応するＧ信号の信号レベルとの変化量から、当該画素の輪郭成分を生成することができる。この輪郭成分生成手段１１は、例えば、一般的なデジタルフィルタによって実現することができる。
【００４４】
ここで、図２を参照して、輪郭成分生成手段１１の構成の例について説明する。図２は、輪郭成分生成手段の構成を示したブロック図、図２（ａ）は、水平方向の画素の信号レベルの変化量から輪郭成分を生成する輪郭成分生成手段の構成を示したブロック図、図２（ｂ）は、垂直方向の画素の信号レベルの変化量から輪郭成分を生成する輪郭成分生成手段の構成を示したブロック図である。まず、図２（ａ）を参照して、輪郭成分生成手段１１が、輪郭成分を生成する画素に対応するＧ信号の信号レベルと、当該画素の信号レベルに対して１画素の周期分だけ前と後のＧ信号の信号レベルとの変化量から輪郭成分を生成する場合について説明する。図２（ａ）に示すように、輪郭成分生成手段１１は、クロック遅延部３１（３１ａ、３１ｂ）と、乗算部３２（３２ａ、３２ｂ、３２ｃ）と、加算部３３とを備えている。
【００４５】
クロック遅延部３１（３１ａ、３１ｂ）は、１画素の周期分だけ、入力されたＧ信号の出力のタイミングを遅延させるものである。ここで、クロック遅延部３１ａは、Ｇ信号を入力し、１画素の周期分だけ遅延させたＧ信号を、乗算部３２ｂと、クロック遅延部３１ｂとに出力する。また、クロック遅延部３１ｂは、クロック遅延部３１ａから１画素の周期分だけ遅延されたＧ信号を入力し、更に１画素の周期分だけ遅延させたＧ信号を、乗算部３２ｃに出力する。
【００４６】
乗算部３２（３２ａ、３２ｂ、３２ｃ）は、入力されたＧ信号の信号レベルを所定の係数（Ａ１、Ａ２、Ａ３）倍した信号を出力するものである。ここで出力された信号は、加算部３３に出力される。
【００４７】
加算部３３は、乗算部３２（３２ａ、３２ｂ、３２ｃ）から入力された信号の信号レベルを加算して、輪郭成分を生成するものである。
【００４８】
なお、ここでは、輪郭成分生成手段１１は、対象とする画素に対応するＧ信号の信号レベルと、この画素の前後のＧ信号の信号レベルとの変化量から輪郭成分を生成することとし、クロック遅延部３１（３１ａ又は３１ｂ）及びこのクロック遅延部３１で遅延された信号の信号レベルを係数倍する乗算部３２（３２ｂ又は３２ｃ）の組み合わせを２つと、入力されたＧ信号の信号レベルを係数倍する乗算部３２ａとを備える構成としたが、輪郭成分生成手段１１は、対象とする画素と、少なくとも１つの他の画素とに対応するＧ信号の信号レベルの変化量から輪郭成分を生成することができる。そして、輪郭成分生成手段１１は、乗算部３２ａと、少なくとも１つの、クロック遅延部３１及びこのクロック遅延部３１によって遅延された信号の信号レベルを係数倍する乗算部３２の組み合わせ（例えば、クロック遅延部３１ａと乗算部３２ｂ）と、加算部３３とを備えていればよい。また、係数Ａ１、Ａ２、…は、係数Ａ１、Ａ２、…の和が０となる条件のもとで、任意の値を設定することができる。更に、ここでは、クロック遅延部３１は、１画素の周期分だけ、入力されたＧ信号の出力のタイミングを遅延させることとしたが、例えば、２画素の周期分だけ、入力されたＧ信号の出力のタイミングを遅延させることとし、２列隣りのＧ画素に対応する信号レベルとの変化量から輪郭成分を生成することとしてもよい。
【００４９】
次に、図３（ｂ）及び図４を参照（適宜図２参照）して、輪郭成分生成手段１１が、輪郭成分を生成する例を、具体例を用いて説明する。図４は、輪郭強調回路１が、図３（ｂ）に示す信号レベルの三原色信号から、Ｂ信号とＲ信号を補正する補正成分を生成する例を説明するための説明図である。
【００５０】
ここで、例えば、図３（ｂ）に示すＧ信号が列Ｐ１から順に入力され、列Ｐ６の信号レベルの信号が輪郭成分生成手段１１に入力された場合において、輪郭成分生成手段１１が列Ｐ５の輪郭成分を生成する例について説明する。また、輪郭成分生成手段１１は、輪郭成分を生成する画素より１画素の周期分だけ前の信号レベルと、輪郭成分を生成する画素の信号レベルと、当該画素の信号レベルに対して１画素の周期分だけ後の信号レベルとに対する重み係数を（−０．５、１、−０．５）として輪郭成分を生成することとし、係数Ａ１を−０．５、係数Ａ２を１、係数Ａ３を−０．５とする。
【００５１】
Ｇ信号が、輪郭成分生成手段１１のクロック遅延部３１ａと、乗算部３２ａとに入力されると、乗算部３２ａは、このＧ信号の信号レベルを係数Ａ１倍にした信号を加算部３３に出力する。つまり、乗算部３２ａは、この列Ｐ６の信号レベル「０．３６７」を−０．５（係数Ａ１）倍した信号である、信号レベル「−０．１８４」の信号を加算部３３に出力する。なお、ここでは、信号レベルを、四捨五入して小数点以下３桁まで示している。
【００５２】
また、クロック遅延部３１ａは、このＧ信号の位相を１画素の周期分遅延させる。ここで１画素の周期分遅延されたＧ信号は、クロック遅延部３１ｂと、乗算部３２ｂとに出力される。また、乗算部３２ｂには、クロック遅延部３１ａから出力された、１画素の周期分遅延させたＧ信号、つまり、列Ｐ５の信号レベルの信号が入力される。そこで、乗算部３２ｂは、この列Ｐ５の信号レベル「０．３６７」を１（係数Ａ２）倍した信号、つまり、信号レベル「０．３６７」の信号を加算部３３に出力する。
【００５３】
クロック遅延部３１ｂは、クロック遅延部３１ａから入力された、１画素の周期分遅延させたＧ信号の位相を、更に１画素の周期分遅延させる。ここで２画素分遅延されたＧ信号は、乗算部３２ｃに出力される。また、乗算部３２ｃには、クロック遅延部３１ｂから出力された、２画素分遅延させたＧ信号、つまり、列Ｐ４の信号レベルの信号が入力される。そこで、乗算部３２ｃは、この列Ｐ４の信号レベル「０．１０」を−０．５（係数Ａ３）倍した信号、つまり、信号レベル「−０．０５」の信号を加算部３３に出力する。
【００５４】
更に、加算部３３は、乗算部３２ａ、乗算部３２ｂ及び乗算部３２ｃから入力された信号の信号レベルを加算した信号を生成する。ここで、加算部３３には、乗算部３２ａからは信号レベル「−０．１８４」、乗算部３２ｂからは信号レベル「０．３６７」、乗算部３２ｃからは信号レベル「−０．０５」の信号が入力される。そこで、加算部３３は、これらの信号の信号レベルを加算して、信号レベル「０．１３３」の信号を出力する。
【００５５】
このようにして、輪郭成分生成手段１１は、図３（ｂ）のＧ信号から、図４に示す輪郭成分を生成することができる。
【００５６】
また、図２（ｂ）に示すように、輪郭成分生成手段１１’（１１）は、図２（ａ）に示す輪郭成分生成手段１１のクロック遅延部３１（３１ａ、３１ｂ）に代えて、入力されたＧ信号の出力のタイミングを、１ラインの画素分だけ遅延させるライン遅延部３１’（３１’ａ、３１’ｂ）を備え、輪郭成分を生成する画素に対応するＧ信号の信号レベルと、この画素の１ライン上と下の画素に対応するＧ信号の信号レベルとの変化量から輪郭成分を生成することとしてもよい。更に、本発明の輪郭成分生成手段は、図２（ａ）に示す輪郭成分生成手段１１の構成と、図２（ｂ）に示す輪郭成分生成手段１１’の構成の両方を備え、水平方向の画素の信号レベルの変化量と、垂直方向の画素の信号レベルの変化量とから輪郭成分を生成することとしてもよい。
【００５７】
図１に戻って説明を続ける。加算手段１２（１２ａ、１２ｂ、１２ｃ）は、入力された２つの信号の信号レベルを加算した信号を生成するものである。この加算手段１２は、一般的な加算回路で実現できる。ここで、加算手段（輪郭成分加算手段）１２ａは、Ｇ信号と、輪郭成分生成手段１１によって生成された輪郭成分との信号レベルを加算した信号を生成し、クリップ手段１３ａに出力する。また、加算手段１２ｂは、Ｂ信号と、後記するサブサンプル手段１６ａから入力される補正成分ΔＢとの信号レベルを加算した信号を生成し、クリップ手段１３ｂに出力する。更に、加算手段１２ｃは、Ｒ信号と、後記するサブサンプル手段１６ｂから入力される補正成分ΔＲとの信号レベルを加算した信号を生成し、クリップ手段１３ｃに出力する。
【００５８】
クリップ手段１３（１３ａ、１３ｂ、１３ｃ）は、入力された信号の信号レベルが所定の範囲の上限値を上回っている時にはこの上限値に、下限値を下回っている時にはこの下限値にクリップするものである。ここで、クリップ手段１３ａは、加算手段１２ａから入力された信号の信号レベルを所定の範囲内に補正して、輪郭強調Ｇ信号を生成する。この輪郭強調Ｇ信号は、減算手段１４と外部とに出力される。また、クリップ手段１３ｂは、加算手段１２ｂから入力された信号の信号レベルを所定の範囲内に補正して、輪郭強調Ｂ信号を生成する。この輪郭強調Ｂ信号は外部に出力される。同様に、クリップ手段１３ｃは、加算手段１２ｃから入力された信号の信号レベルを所定の範囲内に補正して、輪郭強調Ｒ信号を生成する。この輪郭強調Ｒ信号は外部に出力される。
【００５９】
減算手段１４は、クリップ手段１３ａから入力された輪郭強調Ｇ信号の信号レベルから、Ｇ信号の信号レベルを減算した信号である差分ΔＧを出力するものである。ここで生成された差分ΔＧは、差分変換手段１５に出力される。なお、この減算手段１４は、一般的な減算回路によって実現することができる。
【００６０】
差分変換手段１５は、減算手段１４から入力された差分ΔＧを変換して、Ｂ信号及びＲ信号の映像信号帯域に合わせた差分変換信号ΔＲＢを生成するものである。この差分変換手段１５は、一般的な低域通過フィルタ（ＬＰＦ；ｌｏｗ  ｐａｓｓ  ｆｉｌｔｅｒ）や、ガウシアンフィルタ等によって実現することができる。
【００６１】
ここで、図４を参照（適宜図１参照）して、差分変換手段１５が、差分ΔＧを変換して、差分変換信号ΔＲＢを生成する方法を、具体例を用いて説明する。
【００６２】
差分変換手段１５には、減算手段１４から、図４に示すような差分ΔＧが入力されているとする。すると、差分変換手段１５は、この差分ΔＧを変換して、Ｂ信号及びＲ信号の映像信号帯域に合わせた差分変換信号ΔＲＢを生成する。ここで、差分変換手段１５は、係数（０．２５、０．５、０．２５）で規定される低域通過特性のＬＰＦであるとする。
【００６３】
例えば、差分変換手段１５が、差分ΔＧから差分変換信号ΔＲＢを生成する場合において、列Ｐ５の画素に対応する信号レベルの差分変換信号ΔＲＢを生成する例について説明する。差分変換手段１５は、低域通過特性が（０．２５、０．５、０．２５）であるため、列Ｐ４、Ｐ５、Ｐ６の信号レベルが「−０．１０」、「０．１３３」、「０．１３３」の差分ΔＧが入力されると、列Ｐ５の信号レベルが「０．０７５」［（−０．１０）×０．２５＋０．１３３×０．５＋０．１３３×０．２５］の信号を生成する。このようにして、差分変換手段１５は、差分変換信号ΔＲＢを生成することができる。
【００６４】
図１に戻って説明を続ける。サブサンプル手段１６は、差分変換手段１５によって生成された差分変換信号ΔＲＢから、Ｂ信号又はＲ信号を補正するための補正成分ΔＢ又はΔＲを抜き出すものである。ここで、差分変換信号ΔＲＢには、補正成分ΔＢと補正成分ΔＲとが含まれており、サブサンプル手段１６は、Ｒ及びＢの各々の画素に対応する信号を、各々の補正成分として抜き出す。
【００６５】
ここで、図５を参照して、サブサンプル手段１６の構成の例について説明する。図５は、サブサンプル手段１６の構成を示したブロック図である。サブサンプル手段１６は、タイミング信号発生部４１と、スイッチ部４２と、乗算部４３とを備えている。
【００６６】
タイミング信号発生部４１は、必要な信号を出力するためのタイミングを示す信号を発生するものである。ここでは、タイミング信号発生部４１は、差分変換信号ΔＲＢに基づいて１画素の周期を検出し、２周期おきに、出力するタイミングを示す信号を発生することとした。
【００６７】
スイッチ部４２は、タイミング信号発生部４１から入力される信号に基づいて、差分変換手段１５（図１参照）から入力された差分変換信号ΔＲＢの一部を出力するものである。ここでは、スイッチ部４２は、タイミング信号発生部４１から入力される信号に基づいて、補正成分ΔＲあるいは補正成分ΔＢを出力することとした。
【００６８】
乗算部４３は、スイッチ部４２から入力された信号の信号レベルを２倍した信号を出力するものである。ここで出力された信号は、Ｂ信号又はＲ信号の補正成分（ΔＢ又はΔＲ）として加算手段１２（１２ｂ、１２ｃ）（図１参照）に出力される。なお、この乗算部４３は、スイッチ部４２によって信号が半分だけ抜き出されることによって、抜き出された信号の信号レベル（振幅）が等価的に半分となるため、この信号の信号レベルを２倍にする補正を行う。
【００６９】
ここで、図４を参照（適宜図５参照）して、サブサンプル手段１６が、補正成分（ΔＢ又はΔＲ）を生成する例を、具体例を用いて説明する。ここで、サブサンプル手段１６ａ（図１参照）が、Ｂ信号の補正成分ΔＢを生成する場合について説明する。
【００７０】
サブサンプル手段１６ａのスイッチ部４２には、図４に示す差分変換信号ΔＲＢが入力されているとする。ここで、サブサンプル手段１６ａのタイミング信号発生部４１は、Ｂの画素の位置に対応する信号を出力するタイミングを示す信号を発生する。つまり、図４に示す差分変換信号ΔＲＢが列Ｐ１から順にスイッチ部４２に入力される場合には、タイミング信号発生部４１は、まず、列Ｐ１に対応する差分変換信号ΔＲＢがスイッチ部４２に入力された時点において、出力するタイミングを示す信号をスイッチ部４２に出力する。
【００７１】
そして、スイッチ部４２は、タイミング信号発生部４１から入力された信号に基づいて、列Ｐ１に対応する差分変換信号ΔＲＢを乗算部４３に出力する。更に、乗算部４３は、この信号の信号レベルを２倍にした信号を出力する。ここで、列Ｐ１に対応する差分変換信号ΔＲＢの信号レベルは「０」であるので、乗算部４３は、信号レベルが「０」の信号を補正成分ΔＢとして出力する。
【００７２】
続いて、タイミング信号発生部４１は、列Ｐ３に対応する差分変換信号ΔＲＢがスイッチ部４２に入力された時点において、出力するタイミングを示す信号をスイッチ部４２に出力する。そして、スイッチ部４２は、この信号に基づいて、列Ｐ３に対応する差分変換信号ΔＲＢを乗算部４３に出力する。更に、乗算部４３は、この信号の信号レベルを２倍にした信号を出力する。ここで、列Ｐ３に対応する差分変換信号ΔＲＢの信号レベルは「−０．０２５」であるので、乗算部４３は、信号レベルが「−０．０５」の信号を補正成分ΔＢとして出力する。
【００７３】
このようにして、サブサンプル手段１６ａは、補正成分ΔＢを生成することができる。また、サブサンプル手段１６ｂは、列Ｐ２、Ｐ４、…に対応する差分変換信号ΔＲＢがスイッチ部４２に入力された時点において、出力するタイミングを示す信号を出力するタイミング信号発生部４１を備え、この信号に基づいて補正成分ΔＲを生成することができる。
【００７４】
以上のように、輪郭強調回路１を構成することで、三原色信号を入力し、各々の原色信号の輪郭を強調した輪郭強調信号を生成することができる。また、ある画素に対応するＧ信号の信号レベルがクリップ手段１３ａによってクリップされることで、Ｇ信号と、輪郭強調Ｇ信号とで信号レベルの和が増加あるいは減少した場合にも、輪郭強調回路１は、この和の変化量と同じ量だけ増加あるいは減少させた輪郭強調Ｂ信号及び輪郭強調Ｒ信号を生成することができる。そのため、ベイヤー配列の画素構造を有する表示装置に表示した際に、特定の色に偏って表示されることがなくなる。
【００７５】
なお、特許請求の範囲に記載の差分補正手段は、差分変換手段１５と、サブサンプル手段１６（１６ａ、１６ｂ）と、加算手段１２ｂ、１２ｃとに相当する。
【００７６】
また、差分変換手段１５の低域通過特性は、前記の例に限定されることはなく、差分ΔＧと補正成分ΔＢとΔＲとの各々の信号レベルの和が等しくなる、つまり、低域通過特性の係数の和が１となる任意の値を設定することができる。
【００７７】
更に、ここでは、Ｒ画素及びＢ画素に比べて２倍の数のＧ画素を有する画素構造の表示装置に表示される映像の輪郭を強調する輪郭強調回路１について説明したが、Ｒ画素あるいはＢ画素を、他の画素より多く有する画素構造の表示装置に表示される映像の輪郭を強調した映像信号を生成する輪郭強調回路１とし、他の画素より多く画素を有する色を示す原色信号から輪郭成分を生成することとしてもよい。
【００７８】
［輪郭強調回路の動作］
次に、図６を参照（適宜図１参照）して、本発明における輪郭強調回路１が三原色信号を受信して、当該三原色信号によって示される映像の輪郭を強調した輪郭強調信号を生成する動作について説明する。図６は、本発明における輪郭強調回路１が、三原色信号から輪郭強調信号を生成する動作を示したフローチャートである。なお、ここでは、輪郭強調回路１が、三原色信号から１つの画素に対応する輪郭強調Ｇ信号、輪郭強調Ｂ信号及び輪郭強調Ｒ信号を生成する動作について説明する。
【００７９】
（輪郭成分生成ステップ）
輪郭強調回路１は、輪郭成分生成手段１１によって、Ｇ信号から当該Ｇ信号の輪郭を強調するための輪郭成分を生成する（ステップＳ１１）。
【００８０】
（輪郭成分加算ステップ）
そして、輪郭強調回路１は、加算手段１２ａによって、ステップＳ１１において生成された輪郭成分とＧ信号との信号レベルを加算した信号を生成する（ステップＳ１２）。
【００８１】
（クリップステップ）
更に、輪郭強調回路１は、クリップ手段１３ａによって、ステップＳ１２において生成された信号の信号レベルを所定の範囲内に補正し、輪郭強調Ｇ信号を生成する（ステップＳ１３）。
【００８２】
（減算ステップ）
また、輪郭強調回路１は、減算手段１４によって、ステップＳ１３において生成された輪郭強調Ｇ信号の信号レベルから、Ｇ信号の信号レベルを減算した信号である差分ΔＧを生成する（ステップＳ１４）。
【００８３】
（差分補正ステップ）
更に、輪郭強調回路１は、差分変換手段１５によって、ステップＳ１４において生成された差分ΔＧを変換して、Ｂ信号及びＲ信号の映像信号帯域に合わせた差分変換信号ΔＲＢを生成する（ステップＳ１５）。そして、輪郭強調回路１は、サブサンプル手段１６（１６ａ、１６ｂ）によって、ステップＳ１５において生成された差分変換信号ΔＲＢから、Ｂ信号及びＲ信号を補正するための補正成分ΔＢ、ΔＲを抜き出すことで、補正成分ΔＢ、ΔＲを生成する（ステップＳ１６）。更に、輪郭強調回路１は、加算手段１２ｂによって、ステップＳ１６において生成された補正成分ΔＢの信号レベルと、Ｂ信号の信号レベルとを加算した信号を生成し、また、加算手段１２ｃによって、ステップＳ１６において生成された補正成分ΔＲの信号レベルと、Ｒ信号の信号レベルとを加算した信号を生成する（ステップＳ１７）。
【００８４】
そして、輪郭強調回路１は、クリップ手段１３ｂによって、ステップＳ１７において補正成分ΔＢの信号レベルとＢ信号の信号レベルとを加算した信号の信号レベルを所定の範囲内に補正して輪郭強調Ｂ信号を生成する。また、クリップ手段１３ｃによって、ステップＳ１７において補正成分ΔＲの信号レベルとＲ信号の信号レベルとを加算した信号の信号レベルを所定の範囲内に補正して輪郭強調Ｒ信号を生成する（ステップＳ１８）。
【００８５】
［輪郭強調回路の構成（第二の実施の形態）］
次に、図７及び図８を参照して、本発明における第二の実施の形態である輪郭強調回路１Ａの構成について説明する。図７は、本発明における第二の実施の形態である輪郭強調回路の構成を示したブロック図である。図８は、輪郭強調回路に用いられるアップサンプル手段の構成を示したブロック図である。図７に示すように、輪郭強調回路１Ａは、三原色信号から輝度信号（Ｙ信号）を生成して、このＹ信号に基づいて輪郭成分を生成し、三原色信号で示される映像の輪郭を強調した輪郭強調Ｇ信号、輪郭強調Ｂ信号及び輪郭強調Ｒ信号を生成するものである。
【００８６】
輪郭強調回路（輪郭強調装置）１Ａは、輪郭強調回路１（図１参照）の輪郭成分生成手段１１に代えて輪郭成分生成手段１１Ａを備え、更に、アップサンプル手段１７Ａと、輝度信号生成手段１８Ａとを付加して構成した。輪郭強調回路１Ａ内の輪郭成分生成手段１１Ａ、アップサンプル手段１７Ａ及び輝度信号生成手段１８Ａ以外の構成は、図１に示したものと同一であるので、同一の符号を付し、説明を省略する。
【００８７】
輪郭成分生成手段１１Ａは、後記する輝度信号生成手段１８ＡからＹ信号を入力し、輪郭成分ΔＹを生成するものである。ここで生成された輪郭成分ΔＹは、加算手段１２ａに出力される。なお、この輪郭成分生成手段１１Ａは、輪郭成分生成手段１１（図１）に比べて入力する信号をＧ信号からＹ信号としただけで、機能は同じものである。
【００８８】
アップサンプル手段１７Ａは、入力されたＢ信号とＲ信号との各々について内挿し、Ｇ信号の映像信号帯域に合わせた信号を生成するものである。ここで生成された信号は、輝度信号生成手段１８Ａに出力される。
【００８９】
ここで、図８を参照して、アップサンプル手段１７Ａの構成の例について説明する。図８に示すように、アップサンプル手段１７Ａは、内挿信号生成部５１（５１ａ、５１ｂ）と、多重部５２（５２ａ、５２ｂ）とを備えている。
【００９０】
内挿信号生成部５１は、入力された信号の信号レベルと、この信号レベルの１画素の周期分だけ前の信号レベルとを内挿した内挿信号を生成するものである。ここで生成された内挿信号は、多重部５２に出力される。なお、ここでは、内挿信号生成部５１ａは、Ｂ信号を入力して内挿信号を生成し、内挿信号生成部５１ｂは、Ｒ信号を入力して内挿信号を生成することとした。
【００９１】
多重部５２は、入力された原色信号（Ｂ信号又はＲ信号）の内挿信号と、当該原色信号とを多重化し、Ｇ信号の映像信号帯域に合わせた信号を生成するものである。なお、ここでは、多重部５２ａは、内挿信号生成部５１ａから入力されたＢ信号の内挿信号とＢ信号とを多重化して、Ｇ信号の映像信号帯域に合わせた信号を生成し、多重部５２ｂは、内挿信号生成部５１ｂから入力されたＲ信号の内挿信号とＲ信号とを多重化して、Ｇ信号の映像信号帯域に合わせた信号を生成することとした。
【００９２】
図７に戻って説明を続ける。輝度信号生成手段１８Ａは、Ｇ信号と、アップサンプル手段１７Ａから入力された、Ｇ信号の映像信号帯域に合わせたＢ信号及びＲ信号とに基づいて、Ｙ信号を生成するものである。この輝度信号生成手段１８Ａは、マトリクス回路等で実現できる。ここで生成されたＹ信号は、輪郭成分生成手段１１Ａに出力される。
【００９３】
これによって輪郭強調回路１Ａは、入力されたＧ信号、Ｂ信号及びＲ信号からＹ信号を生成し、このＹ信号に基づいて輪郭成分を生成して、映像の輪郭を強調した輪郭強調Ｇ信号、輪郭強調Ｂ信号及び輪郭強調Ｒ信号を生成することができる。
【００９４】
［輪郭強調回路の構成（第三の実施の形態）］
次に、図９を参照して、本発明における第三の実施の形態である輪郭強調回路１Ｂの構成について説明する。図９は、本発明における第三の実施の形態である輪郭強調回路の構成を示したブロック図である。図９に示すように、輪郭強調回路１Ｂは、三原色信号をガンマ補正し、この三原色信号で示される映像の輪郭を強調する輪郭強調Ｇ信号、輪郭強調Ｂ信号及び輪郭強調Ｒ信号を生成し、これらの信号を逆ガンマ補正して出力するものである。
【００９５】
輪郭強調回路（輪郭強調装置）１Ｂは、輪郭強調回路１（図１参照）の輪郭成分生成手段１１及び加算手段１２に代えて、輪郭成分生成手段１１Ｂ及び加算手段１２Ｂを備え、更に、ガンマ補正手段１９Ｂ及び逆ガンマ補正手段２０Ｂを付加して構成した。輪郭強調回路１Ｂ内の輪郭成分生成手段１１Ｂ、加算手段１２Ｂ、ガンマ補正手段１９Ｂ及び逆ガンマ補正手段２０Ｂ以外の構成は、図１に示したものと同一であるので、同一の符号を付し、説明を省略する。
【００９６】
輪郭成分生成手段１１Ｂは、後記するガンマ補正手段１９ＢのＧ信号ガンマ補正部１９Ｂａから、表示装置におけるＧ画素の明るさに比例するガンマ補正Ｇ信号を入力し、輪郭成分を生成するものである。ここで生成された輪郭成分は、加算手段１２Ｂａに出力される。なお、この輪郭成分生成手段１１Ｂは、輪郭成分生成手段１１（図１）に比べて入力する信号をＧ信号からガンマ補正Ｇ信号としただけで、機能は同じものである。
【００９７】
加算手段１２Ｂは、入力された２つの信号の信号レベルを加算した信号を生成するものである。ここで、加算手段（輪郭成分加算手段）１２Ｂａは、後記するガンマ補正手段１９ＢのＧ信号ガンマ補正部１９Ｂａから入力されたガンマ補正Ｇ信号と、輪郭成分生成手段１１Ｂよって生成された輪郭成分の信号レベルを加算した信号を生成し、クリップ手段１３ａに出力する。また、加算手段１２Ｂｂは、後記するガンマ補正手段１９ＢのＢ信号ガンマ補正部１９Ｂｂから入力された、表示装置におけるＢ画素の明るさに比例するガンマ補正Ｂ信号と、サブサンプル手段１６ａから入力される補正成分ΔＢの信号レベルを加算した信号を生成し、クリップ手段１３ｂに出力する。更に、加算手段１２Ｂｃは、後記するガンマ補正手段１９ＢのＲ信号ガンマ補正部１９Ｂｃから入力された、表示装置におけるＲ画素の明るさに比例するガンマ補正Ｒ信号と、サブサンプル手段１６ｂから入力される補正成分ΔＲの信号レベルを加算した信号を生成し、クリップ手段１３ｃに出力する。
【００９８】
なお、この加算手段１２Ｂは、加算手段１２（図１）に比べて入力する信号を原色信号からガンマ補正手段１９Ｂによってガンマ補正された信号としただけで、機能は同じものである。
【００９９】
一般に、表示装置は、入力される信号レベルと画面の明るさとが比例関係とならず、指数関数的に変化するガンマ特性を有する。そこで、ここでは、入力される各々の原色信号（Ｇ信号、Ｂ信号及びＲ信号）を、当該表示装置のガンマ特性によりガンマ補正し、表示装置における表示の明るさに比例する原色信号（ガンマ補正Ｇ信号、ガンマ補正Ｂ信号及びガンマ補正Ｒ信号）とし、この原色信号から輪郭を強調した輪郭強調信号（輪郭強調Ｇ信号、輪郭強調Ｂ信号及び輪郭強調Ｒ信号）を生成した後に、逆ガンマ補正し、表示装置における表示の明るさに比例しない非線形の輪郭強調信号を生成することとする。
【０１００】
ガンマ補正手段１９Ｂは、入力された三原色信号をガンマ特性によりガンマ補正するものである。このガンマ補正手段１９Ｂは、各々の原色信号（Ｇ信号、Ｂ信号及びＲ信号）の信号レベルをガンマ特性に合わせて補正し、表示装置における表示の明るさに比例する信号（ガンマ補正Ｇ信号、ガンマ補正Ｂ信号及びガンマ補正Ｒ信号）を生成する。ガンマ補正手段１９Ｂは、Ｇ信号ガンマ補正部１９Ｂａと、Ｂ信号ガンマ補正部１９Ｂｂと、Ｒ信号ガンマ補正部１９Ｂｃとを備える。
【０１０１】
Ｇ信号ガンマ補正部１９Ｂａは、Ｇ信号を入力し、このＧ信号をガンマ特性によりガンマ補正するものである。ここでガンマ補正されたガンマ補正Ｇ信号は、輪郭成分生成手段１１Ｂと、加算手段１２Ｂａとに出力される。
【０１０２】
Ｂ信号ガンマ補正部１９Ｂｂは、Ｂ信号を入力し、このＢ信号をガンマ特性によりガンマ補正するものである。ここでガンマ補正されたガンマ補正Ｂ信号は、加算手段１２Ｂｂとに出力される。
【０１０３】
Ｒ信号ガンマ補正部１９Ｂｃは、Ｒ信号を入力し、このＲ信号をガンマ特性によりガンマ補正するものである。ここでガンマ補正されたガンマ補正Ｒ信号は、加算手段１２Ｂｃとに出力される。
【０１０４】
逆ガンマ補正手段２０Ｂは、クリップ手段１３（１３ａ、１３ｂ、１３ｃ）から入力された線形の輪郭強調信号（輪郭強調Ｇ信号、輪郭強調Ｂ信号及び輪郭強調Ｒ信号）をガンマ特性の逆特性により逆ガンマ補正することで、非線形の輪郭強調信号を生成するものである。逆ガンマ補正手段２０Ｂは、Ｇ信号逆ガンマ補正部２０Ｂａと、Ｂ信号逆ガンマ補正部２０Ｂｂと、Ｒ信号逆ガンマ補正部２０Ｂｃとを備える。
【０１０５】
Ｇ信号逆ガンマ補正部２０Ｂａは、クリップ手段１３ａから輪郭強調Ｇ信号を入力し、この輪郭強調Ｇ信号を逆ガンマ補正して、非線形の輪郭強調Ｇ信号を生成するものである。ここで逆ガンマ補正された輪郭強調Ｇ信号は外部に出力される。
【０１０６】
Ｂ信号逆ガンマ補正部２０Ｂｂは、クリップ手段１３ｂから輪郭強調Ｂ信号を入力し、この輪郭強調Ｂ信号を逆ガンマ補正して、非線形の輪郭強調Ｂ信号を生成するものである。ここで逆ガンマ補正された輪郭強調Ｂ信号は外部に出力される。
【０１０７】
Ｒ信号逆ガンマ補正部２０Ｂｃは、クリップ手段１３ｃから輪郭強調Ｒ信号を入力し、この輪郭強調Ｒ信号を逆ガンマ補正して、非線形の輪郭強調Ｒ信号を生成するものである。ここで逆ガンマ補正された輪郭強調Ｒ信号は外部に出力される。
【０１０８】
これによって輪郭強調回路１Ｂは、入力された原色信号をガンマ補正して、表示装置における画素の明るさに比例する信号（ガンマ補正Ｇ信号、ガンマ補正Ｂ信号及びガンマ補正Ｒ信号）を生成し、これらの信号から輪郭を強調した輪郭強調信号を生成するため、表示装置における表示の明るさに基づいて映像の輪郭の強調を行うことができる。そのため、ベイヤー配列の画素構造を有する表示装置に表示した際において、輪郭を強調したことにより生じる偽色を防ぐことができる。
【０１０９】
［輪郭強調回路の構成（第四の実施の形態）］
次に、図１０を参照して、本発明における第四の実施の形態である輪郭強調回路１Ｃの構成について説明する。図１０は、本発明における第四の実施の形態である輪郭強調回路の構成を示したブロック図である。図１０に示すように、輪郭強調回路１Ｃは、三原色信号をガンマ補正し、この三原色信号で示される映像の輪郭を強調する輪郭強調Ｇ信号、輪郭強調Ｂ信号及び輪郭強調Ｒ信号を生成し、更に、この輪郭強調Ｇ信号に対して、高周波の映像信号を表示装置に出力する際の電圧の減衰の補正を行うものである。
【０１１０】
輪郭強調回路（輪郭強調装置）１Ｃは、輪郭強調回路１Ｂ（図９参照）に、減算手段２１Ｃと、乗算手段２２Ｃと、加算手段２３Ｃとを付加して構成した。輪郭強調回路１Ｃ内の減算手段２１Ｃ、乗算手段２２Ｃ及び加算手段２３Ｃ以外の構成は、図９に示したものと同一であるので、同一の符号を付し、説明を省略する。
【０１１１】
減算手段２１Ｃは、逆ガンマ補正手段２０ＢのＧ信号逆ガンマ補正部２０Ｂａから入力された輪郭強調Ｇ信号の信号レベルから、Ｇ信号の信号レベルを減算した信号を出力するものである。なお、ここで生成された信号は、映像信号におけるＧ信号と輪郭強調Ｇ信号との差分（以下、エンハンサ信号という）である。ここで生成されたエンハンサ信号は、乗算手段２２Ｃに出力される。
【０１１２】
乗算手段２２Ｃは、減算手段２１Ｃから入力されたエンハンサ信号の信号レベルを所定の係数（１／α）倍した信号を出力するものである。ここで、αは、表示装置の表示素子等に高周波の映像信号を与える場合における、実際に各画素にかかる電圧の、表示装置に入力される電圧に対する割合である。ここで生成された信号は加算手段２３Ｃに出力される。
【０１１３】
なお、表示装置の表示素子等に高周波の映像信号を与えた場合に、実際に各画素にかかる電圧は、表示装置に対する入力電圧よりも小さい値となる。乗算手段２２Ｃは、この高周波の映像信号を表示装置に出力する際に生じる電圧の減衰の補正を行うものである。つまり、輪郭強調回路１Ｃは、乗算手段２２Ｃによって高周波の映像信号であるエンハンサ信号の信号レベルを（１／α）倍することで、エンハンサ信号の電圧の減衰の分だけ入力電圧を高く設定することができ、高周波の映像信号に生じる減衰の補正を行うことができる。
【０１１４】
加算手段２３Ｃは、乗算手段２２Ｃから入力された信号とＧ信号の信号レベルを加算して、高周波の映像信号を表示装置に出力する際に生じる電圧の減衰の補正を行った輪郭強調Ｇ信号を生成するものである。
【０１１５】
これによって輪郭強調回路１Ｃは、高周波の映像信号をベイヤー配列の画素構造を有する表示装置に出力する際に生じる電圧の減衰を補正し、輪郭を強調したことにより生じる偽色を防ぐことができる。
【０１１６】
［輪郭強調回路の構成（第五の実施の形態）］
次に、図１１を参照して、本発明における第五の実施の形態である輪郭強調回路１Ｄの構成について説明する。図１１は、本発明における第五の実施の形態である輪郭強調回路の構成を示したブロック図である。図１１に示すように、輪郭強調回路１Ｄは、Ｇ信号から輪郭強調Ｇ信号を生成し、この２つの信号の差分ΔＧに高周波の映像信号を表示装置に出力する際に生じる電圧の減衰の影響を反映させた差分に基づいて、Ｂ信号及びＲ信号の信号レベルを補正して、輪郭強調Ｂ信号及び輪郭強調Ｒ信号を生成するものである。
【０１１７】
輪郭強調回路（輪郭強調装置）１Ｄは、Ｇ信号のガンマ補正を行わずに輪郭強調Ｇ信号を生成するものであり、輪郭強調Ｇ信号を生成し、差分ΔＧを生成する輪郭成分生成手段１１、加算手段１２ａ、クリップ手段１３ａ及び減算手段１４は、図１に示したものと同一であるので、説明を省略する。また、輪郭強調回路１Ｄは、Ｂ信号とＲ信号についてはガンマ補正をした後に補正を行い、輪郭強調Ｂ信号と輪郭強調Ｒ信号を生成するものであり、Ｂ信号とＲ信号のガンマ補正をして輪郭強調Ｂ信号と輪郭強調Ｒ信号を生成する加算手段１２Ｂｂ、１２Ｂｃ、クリップ手段１３ｂ、１３ｃ、差分変換手段１５、サブサンプル手段１６（１６ａ、１６ｂ）、Ｂ信号ガンマ補正部１９Ｂｂ、Ｒ信号ガンマ補正部１９Ｂｃ、Ｂ信号逆ガンマ補正部２０Ｂｂ、Ｒ信号逆ガンマ補正部２０Ｂｃは、図９に示したものと同一であるので、説明を省略する。ここでは、新たに付加された構成であるガンマ補正部１９Ｄａ、１９Ｄｄ、乗算手段２４Ｄ、加算手段２５Ｄ、減算手段２６Ｄについて説明する。
【０１１８】
ガンマ補正部１９Ｄａは、Ｇ信号をガンマ特性によりガンマ補正するものである。ここでガンマ補正されたガンマ補正Ｇ信号は、減算手段２６Ｄに出力される。なお、このガンマ補正部１９Ｄａは、Ｇ信号ガンマ補正部１９Ｂａ（図９）に比べて信号の出力先を輪郭成分生成手段１１Ｂ及び加算手段１２Ｂａ（図９）から減算手段２６Ｄとしただけで機能は同じものである。
【０１１９】
ガンマ補正部１９Ｄｄは、後記する加算手段２５Ｄから入力された信号をガンマ特性によりガンマ補正するものである。ここでガンマ補正された信号は、減算手段２６Ｄに出力される。なお、ここで生成される信号は、輪郭強調Ｇ信号が図示しない表示装置に出力された場合における、表示装置の各Ｇ画素の明るさを示す信号となる。
【０１２０】
乗算手段２４Ｄは、減算手段１４から入力された差分ΔＧ（エンハンサ信号）の信号レベルを所定の係数（α）倍した信号を出力するものである。ここで生成された信号は加算手段２５Ｄに出力される。
【０１２１】
加算手段２５Ｄは、乗算手段２４Ｄから入力された信号とＧ信号の信号レベルを加算した信号を生成するものである。ここで生成された信号はガンマ補正部１９Ｄｄに出力される。なお、乗算手段２４Ｄから入力される信号は、高周波の映像信号である差分ΔＧ（エンハンサ信号）の信号レベルにαをかけたものであるので、加算手段２５Ｄによって生成された信号の信号レベルは、輪郭強調Ｇ信号が表示装置に出力された場合に、実際に表示装置の各Ｇ画素にかかる電圧を示している。
【０１２２】
減算手段２６Ｄは、ガンマ補正部１９Ｄｄから入力された信号の信号レベルから、ガンマ補正部１９Ｄａによって生成されたガンマ補正Ｇ信号の信号レベルを減算した信号を出力するものである。なお、ここで生成された信号は、ガンマ補正されたＧ信号と、輪郭強調Ｇ信号が表示装置に出力された場合における、表示装置の各Ｇ画素の明るさを示す信号との差分である。ここで生成された信号は、差分変換手段１５に出力される。
【０１２３】
これによって輪郭強調回路１Ｄは、輪郭強調Ｇ信号をベイヤー配列の画素構造を有する表示装置に表示した場合において、高周波の映像信号を表示装置に出力する際に生じる電圧の減衰の影響を反映させた、表示装置におけるＧ画素の明るさを示す信号を生成し、この信号と、ガンマ補正されたＧ信号との差分に基づいてＢ信号とＲ信号とを補正することで、高周波の映像信号であるエンハンサ信号の電圧の減衰によるＧ画素の明るさの低下の分だけＢ画素とＲ画素の明るさも低下させる輪郭強調Ｂ信号及び輪郭強調Ｒ信号を生成することができる。そのため、高周波の映像信号の減衰によって生じる偽色を防ぐことができる。
【図面の簡単な説明】
【０１２４】
【図１】本発明における第一の実施の形態である輪郭強調回路の構成を示したブロック図である。
【図２】輪郭強調回路の輪郭成分生成手段の構成を示したブロック図、（ａ）は、水平方向の画素の信号レベルの変化量から輪郭成分を生成する輪郭成分生成手段の構成を示したブロック図、（ｂ）は、垂直方向の画素の信号レベルの変化量から輪郭成分を生成する輪郭成分生成手段の構成を示したブロック図である。
【図３】ベイヤー配列の画素構造を有する表示装置の表示装置において、グレーの背景に縦の白線を表示する例を説明する説明図、（ａ）は、ベイヤー配列の画素構造を模式的に示す模式図、（ｂ）は、（ａ）の画素構造の表示装置において、グレーの背景に縦の白線を表示した場合における、各画素の信号レベルを模式的に示す模式図である。
【図４】輪郭強調回路が、図３（ｂ）に示す信号レベルの三原色信号から、Ｂ信号とＲ信号を補正する補正成分を生成する例を説明するための説明図である。
【図５】輪郭強調回路のサブサンプル手段の構成を示したブロック図である。
【図６】本発明における輪郭強調回路が、三原色信号から輪郭強調信号を生成する動作を示したフローチャートである。
【図７】本発明における第二の実施の形態である輪郭強調回路の構成を示したブロック図である。
【図８】輪郭強調回路に用いられるアップサンプル手段の構成を示したブロック図である。
【図９】本発明における第三の実施の形態である輪郭強調回路の構成を示したブロック図である。
【図１０】本発明における第四の実施の形態である輪郭強調回路の構成を示したブロック図である。
【図１１】本発明における第五の実施の形態である輪郭強調回路の構成を示したブロック図である。
【図１２】Ｇ信号に基づいて輪郭成分を生成し、輪郭を強調した映像信号を生成する輪郭強調回路の構成を示すブロック図である。
【図１３】Ｒ信号、Ｇ信号及びＢ信号の各々について輪郭成分を生成し、輪郭を強調した映像信号を生成する輪郭強調回路の構成を示すブロック図である。
【図１４】Ｙ信号、Ｃ１信号及びＣ２信号を入力し、Ｙ信号について輪郭成分を生成して輪郭を強調した映像信号を生成する輪郭強調回路の構成を示すブロック図である。
【図１５】輪郭強調回路が、図３（ｂ）に示す信号レベルの三原色信号から輪郭強調信号を生成する方法を説明するための説明図、（ａ）は、輪郭強調回路によって生成された、図３（ｂ）に示す信号レベルの各々の原色信号の輪郭成分の例を模式的に示した模式図、（ｂ）は、（ａ）に示す輪郭成分に基づいて、輪郭強調回路によって生成された輪郭強調信号の例を模式的に示した模式図である。
【符号の説明】
【０１２５】
１、１Ａ、１Ｂ、１Ｃ、１Ｄ  輪郭強調回路（輪郭強調装置）
１１、１１Ａ、１１Ｂ  輪郭成分生成手段
１２ａ、１２Ｂａ  加算手段（輪郭成分加算手段）
１３ａ  クリップ手段
１４    減算手段
１５    差分変換手段（差分補正手段）
１６ａ、１６ｂ  サブサンプル手段（差分補正手段）
１２ｂ、１２ｃ、１２Ｂｂ、１２Ｂｃ  加算手段（差分補正手段）
１９Ｂ  ガンマ補正手段
２０Ｂ  逆ガンマ補正手段
【図１】
0004643927.tif 000002
【図２】
0004643927.tif 000003
【図３】
0004643927.tif 000004
【図４】
0004643927.tif 000005
【図５】
0004643927.tif 000006
【図６】
0004643927.tif 000007
【図７】
0004643927.tif 000008
【図８】
0004643927.tif 000009
【図９】
0004643927.tif 000010
【図１０】
0004643927.tif 000011
【図１１】
0004643927.tif 000012
【図１２】
0004643927.tif 000013
【図１３】
0004643927.tif 000014
【図１４】
0004643927.tif 000015
【図１５】
0004643927.tif 000016